(57)【要約】【課題】用紙の裏面及びエッジの汚れを防止すること。【解決手段】反転現像の紙間における現像バイアス制御方法であって、現像時においては、感光体ドラムの未露光部位は帯電電位Ｖｏに帯電され、かつ現像ローラには、トナーと同極性の直流電圧Ｖｄｃに、ピークツーピーク電圧Ｖｐｐを規定するＶｐ１及びＶｐ２からなる交流電圧を重畳した現像バイアスが印加される。現像時と現像時の間においては、Ｖｐ１−Ｖｏ≦±１００Ｖを満足し、かつデューティ比が８０％乃至９５％である交流電圧からなる現像バイアスが印加される。【選択図】  図１
2005215361.tif 000002
【特許請求の範囲】
【請求項１】
像担持体と現像剤担持体との間に現像バイアスを印加することによって、現像剤担持体表面の帯電トナーを像担持体の表面に飛翔現像させる反転現像の紙間における現像バイアス制御方法であって、
現像時においては、像担持体の未露光部位は帯電電位Ｖｏに帯電され、かつ現像剤担持体には、トナーと同極性の直流電圧Ｖｄｃに、ピークツーピーク電圧Ｖｐｐを規定するＶｐ１（トナーを現像剤担持体から像担持体に向かわせるプラス側ピーク電圧）及びＶｐ２（トナーを像担持体から現像剤担持体に引き戻すマイナス側ピーク電圧）からなる交流電圧を重畳した現像バイアスが印加され、
現像時と現像時の間においては、Ｖｐ１−Ｖｏ≦±１００Ｖを満足し、かつデューティ比が８０％乃至９５％である交流電圧からなる現像バイアスが印加される、
ことを特徴とする反転現像の紙間における現像バイアス制御方法。
【発明の詳細な説明】
【技術分野】
【０００１】
本発明は、本発明は、静電複写機、レーザプリンタ、ファクシミリ等の画像形成機に適用される反転現像の紙間における現像バイアス制御方法、更に詳しくは、現像時と現像時との間、すなわちいわゆる紙間において現像剤担持体である現像ローラに印加する現像バイアスの電圧及びデューティ比を、現像時と異なるよう制御することにより、転写ローラの汚れを防止することを可能にする、反転現像の紙間における現像バイアス制御方法に関する。
【背景技術】
【０００２】
従来の画像形成機であるレーザプリンタの要部構成を示す図２を参照して、従来の反転現像方法について説明する。図示のレーザプリンタは、感光体ドラム１０、帯電装置２０、露光手段３０、現像装置４０、転写手段５０、クリーニング手段６０、除電手段７０及びこれらの各構成要素を作動制御する図示しないコントローラを備えている。以下に述べる各種の制御は、コントローラにより所定のプログラム、各種の検出信号などに基づいて制御される。
【０００３】
像担持体を構成する感光体ドラム１０は、アルミニウム素管等からなる円筒状の金属基体１２と、金属基体１２の表面に配設された感光体１４とを備えている。金属基体１２は駆動軸１６に一体に支持され、駆動軸１６は図示しない駆動手段に駆動連結されている。感光体ドラム１０は、駆動軸１６を介して図示しない機体に接地されている。感光体１４は、正帯電型の有機感光体から構成されている。帯電装置２０は、感光体ドラム１０の表面を正極性に一様に帯電させることができるコロナ帯電器であるコロトロン帯電器２１を備えている。帯電器２１は、コロナ放電を行なう放電ワイヤ２２と、放電ワイヤ２２を囲み、感光体ドラム１０側が開口されている金属製シールドケース２３とを備えている。帯電器２１の放電ワイヤ２２は、コロナ放電に必要な電圧を供給することができる放電電圧供給手段２５に接続されている。放電電圧供給手段２５は、図示しない電源及び放電電圧制御手段などを含んでいる。
【０００４】
露光手段３０は、複写機に備えられた図示しない画像読取装置から供給される画像情報に応じて感光体ドラム１０の表面にレーザ光を照射することができるレーザスキャニングユニット（ＬＳＵ）から構成されている。現像装置４０は、現像ハウジング内に配設された現像剤担持体を構成する円筒状現像ローラ４１（スリーブ４１）と、現像ローラ４１内に配設された静止永久磁石４２と、図示しない撹拌搬送機構とを備えている。現像ハウジング内には正帯電型磁性トナーからなる一成分系磁性現像剤が収容されている。トナーは現像ハウジング内に配設された撹拌搬送機構の作用により正極に帯電させられる。現像ローラ４１は、現像ローラ４１に現像バイアスを供給することができる現像バイアス印加手段４３に接続されている。現像バイアス印加手段４３は、図示しない電源及び電圧制御手段などを含んでいる。現像ハウジング内にはまた、トナーの層厚を規制する層厚規制ブレード４４が現像ローラ４１の表面に所定の隙間をおいて配設されている。
【０００５】
転写手段５０は、感光体ドラム２０に圧接されるよう構成された転写ローラ５１を備えている。転写手段５０は、転写ローラ５１に転写バイアスを供給することができる転写バイアス印加手段５２に接続されている。転写バイアス印加手段５２は、図示しない電源及び電圧制御手段などを含んでいる。クリーニング手段６０は、クリーニングブレード６１及びトナー回収スパイラル部材６２を備えている。除電手段７０は、例えば、ハロゲンランプ等の除電ランプ７１から構成されている。なお、用紙搬送路２は、感光体ドラム１０と転写ローラ５１とのニップ部を通って図２においてほぼ水平横方向に延在するよう配設され、用紙Ｐは、用紙搬送路２に沿って所定のタイミングで搬送される。なお、図２において、符号４は、用紙搬送路２の、該ニップ部よりも上流側に配設されたレジストローラを示している。
【０００６】
画像形成時、すなわち現像時には、図示しない駆動手段によって、感光体ドラム１０は図２において時計方向に回転駆動され、またスリーブ部材４１は図２において反時計方向に回転駆動される。帯電装置２０の帯電器２１の放電ワイヤ２２には、放電電圧供給手段２５によって、コロナ放電に必要な所定の電圧が供給されてコロナ放電が行なわれ、感光体ドラム１０の表面（感光体１４の表面）は正極性に一様に帯電させられる。
【０００７】
帯電器２１によって正極性に一様帯電させられた感光体ドラム１０の表面には、露光手段３０によって、感光体ドラム１０の表面に形成すべき画像に対応したレーザ光が照射されて静電潜像が形成される。現像ローラ４１には、現像バイアス印加手段４３によって、直流バイアス成分に交流バイアス成分を重畳した現像バイアスが印加される。現像ローラ４１の表面に吸着された正帯電のトナーは感光体ドラム１０の表面に形成された静電潜像に向かって飛翔させられるので、静電潜像はいわゆる反転現像によってトナー像に現像される。このトナー像は、転写手段５０の転写バイアス印加手段５２によってトナー像と逆極性の転写バイアスが印加された転写ローラ５１によって用紙Ｐに転写される。用紙Ｐは、レジストローラ４によって上記現像のタイミングに合せて用紙搬送路２に沿って搬送される。用紙Ｐに転写されたトナー像は、図示しない定着装置により定着されて画像の複写物が得られる。転写後の感光体ドラム１０の表面に残留するトナーはクリーニング手段６０のブレード６１によって掻き落とされ、トナー回収スパイラル部材６２によって図示しないトナー回収容器に排出されて回収される。クリーニング後の感光体ドラム１０の表面に残留する電位は除電ランプ７１によって除電される。これら一連のプロセスが、感光体ドラム１０の回転に応じて連続して繰り返し行われる。このような画像形成機は、例えば特許文献１に開示されている。
【０００８】
上記のように構成された画像形成機においては、一般的に、現像時においては、帯電装置２０によって感光体ドラム１０の表面に正帯電電位（暗電位）Ｖｏが一様に施され、露光手段３０によってＶｏよりも低電位の正帯電電位（明電位）が形成される。続いて、現像装置４０によって現像ローラ４１に、トナーと同極性の直流電圧Ｖｄｃに、交流ピークツーピーク電圧Ｖｐｐを規定するＶｐ１（トナーを現像ローラ４１から感光体ドラム１０に向かわせるプラス側ピーク電圧）及びＶｐ２（トナーを感光体ドラム１０から現像ローラ４１に引き戻すマイナス側ピーク電圧）からなる交流電圧を重畳した現像バイアスが印加される。この交流電圧は、デューティ比が４０％乃至７０％となるよう制御される。このようにして、いわゆる反転現像が遂行される。
【０００９】
反転現像が行なわれる現像位置において、現像バイアスにおける直流電圧Ｖｄｃの電位は、感光体ドラム１０の表面電位（正帯電電位）、すなわち感光体ドラム１０の表面における未露光部位（非画像形成部位）の暗電位Ｖｏよりも低く設定され、かつ、感光体ドラム１０の表面の、レーザ光が照射された露光部位（画像形成部位）の明電位Ｖｏｏよりも高くなるように設定される。また、交流電圧Ｖｐ１（トナーを現像ローラ４１から感光体ドラム１０に向かわせるプラス側ピーク電圧）は、暗電位Ｖｏよりも高く、Ｖｐ２（トナーを感光体ドラム１０から現像ローラ４１に引き戻すマイナス側ピーク電圧）は明電位Ｖｏｏよりも低く設定される。交流電圧のデューティ比は４０％乃至７０％に制御される。その結果、正帯電させられているトナーは、感光体ドラム１０の表面における露光部位に吸着されてトナー像が形成される。このとき、感光体ドラム１０の表面の未露光部位における暗電位Ｖｏは、現像バイアスにおける直流電圧Ｖｄｃよりも高く設定されているので、現像ローラ４１から感光体ドラム１０の表面の未露光部位へのトナーの飛翔による付着は防止される。現像時における各電位の一例を挙げると、図１（Ａ）にその一部が図示されているように、感光体ドラム１０の帯電電位（暗電位）Ｖｏは＋４００Ｖ、明電位Ｖｏｏは＋７０〜９０Ｖ（不図示）である。現像バイアスにおける直流電圧Ｖｄｃは＋３００Ｖ、交流電圧におけるＶｐ１（トナーを現像ローラ４１から感光体ドラム１０に向かわせるプラス側電圧）は＋１０００Ｖ、Ｖｐ２（トナーを感光体ドラム１０から現像ローラ４１に引き戻すマイナス側電圧）は−７５０Ｖである。
【特許文献１】特開２０００−２５０３３６号公報
【発明の開示】
【発明が解決しようとする課題】
【００１０】
上記画像形成機において、現像時においては、上記したとおりにして現像バイアスの制御が行われるが、現像時と現像時との間、いわゆる紙間においては、図１（Ｂ）に示されているように、感光体ドラム１０の表面には、現像時と同じ＋４００Ｖの帯電電位（暗電位）Ｖｏが印加され、他方、現像バイアスは直流電圧及び交流電圧ともにOFFされる。この状態においては、感光体ドラム１０の表面と現像ローラ４１の表面との電位差は＋４００Vであり、現像ローラ４１の表面に存在する正帯電トナーが感光体ドラム１０の表面に飛翔することはない。しかしながら、現像ハウジング内には逆極性、すなわち負極性に帯電したトナーが存在しており、このトナーが上記電位差によってわずかづつながら感光体ドラム１０の表面に付着する現象が生ずる。感光体ドラム１０の表面に付着した負帯電トナーは、転写領域において、転写バイアス印加手段５２によってトナー像と同極性の転写バイアスが印加されて正帯電させられた転写ローラ５１に付着して転写ローラ５１が汚される（転写ローラ５１は紙間においては、このように転写ローラ５１のクリーニングのために逆転写バイアスが印加されるので）。その結果、用紙Pに対し転写が行われたときに、用紙Pの裏面及びエッジにトナーが付着して用紙Pが汚されてしまうことになる。
【００１１】
本発明の目的は、現像時と現像時との間、すなわちいわゆる紙間において、現像剤担持体から像担持体へのトナーの飛翔を防止することにより、転写ローラの汚れ、したがって用紙の裏面及びエッジの汚れを防止することを可能にする、新規な反転現像の紙間における現像バイアス制御方法を提供することである。
【課題を解決するための手段】
【００１２】
本発明によれば、像担持体と現像剤担持体との間に現像バイアスを印加することによって、現像剤担持体表面の帯電トナーを像担持体の表面に飛翔現像させる反転現像の紙間における現像バイアス制御方法であって、
現像時においては、像担持体の未露光部位は帯電電位Ｖｏに帯電され、かつ現像剤担持体には、トナーと同極性の直流電圧Ｖｄｃに、ピークツーピーク電圧Ｖｐｐを規定するＶｐ１（トナーを現像剤担持体から像担持体に向かわせるプラス側ピーク電圧）及びＶｐ２（トナーを像担持体から現像剤担持体に引き戻すマイナス側ピーク電圧）からなる交流電圧を重畳した現像バイアスが印加され、
現像時と現像時の間においては、Ｖｐ１−Ｖｏ≦±１００Ｖを満足し、かつデューティ比が８０％乃至９５％である交流電圧からなる現像バイアスが印加される、
ことを特徴とする反転現像の紙間における現像バイアス制御方法、が提供される。
【発明を実施するための最良の形態】
【００１３】
以下、本発明に従って構成された反転現像の紙間における現像バイアス制御方法の実施の形態を添付図面を参照して詳細に説明する。
【００１４】
本発明による反転現像の紙間における現像バイアス制御方法が適用される画像形成機の基本的構成は、図２を参照して説明した画像形成機、すなわちレーザプリンタと同じである。本発明による反転現像の紙間における現像バイアス制御方法において、現像時においては、先に説明したのと実質的に同じとおりにして遂行される。更に具体的に説明すると、図１（Ａ）に示されているように、感光体ドラム１０の未露光部位は、帯電装置２０によって正帯電電位Ｖｏ＝＋４００Ｖに一様に帯電されるとともに、露光部位（潜像が形成された部位）は、露光手段３０のＬＳＵによって、＋７０Ｖ乃至＋９０Ｖの電位、実施形態においては＋８０Ｖ（不図示）の電位が形成される。
【００１５】
感光体ドラム１０の露光部位、すなわち潜像形成部位には、現像ローラ４１から正帯電させられたトナーが供給され、反転現像により静電潜像がトナー像化される。この反転現像時において、現像ローラ４１には、トナーと同極性の直流電圧Ｖｄｃ＝＋２７０Ｖ乃至＋３００Ｖ、実施形態においては＋３００Ｖに、ピークツーピーク電圧Ｖｐｐを規定するＶｐ１（トナーを現像ローラ４１から感光体ドラム１０に向かわせるプラス側ピーク電圧）＝＋１０００Ｖ及びＶｐ２（トナーを感光体ドラム１０から現像ローラ４１に引き戻すマイナス側ピーク電圧）＝−７５０Ｖからなる交流電圧を重畳した現像バイアスが印加される。現像バイアスの交流電圧におけるデューティ比は４０％乃至７０％、実施形態においては６０％、ピークツーピーク電圧Ｖｐｐは１７５０Ｖ、周波数Ｖｆ＝２．５ｋＨｚ、に制御される。感光体ドラム１０に形成されたトナー像は、先に述べたとおりにして転写ローラ５１により用紙Ｐに転写される。用紙Ｐのトナー画像は定着装置により定着された後にレーザプリンタの排出トレイなどに排出される。以上の反転現像方法は従来の画像形成機において行われており、本発明の特徴をなすものではない。
【００１６】
本発明による反転現像の紙間における現像バイアス制御方法において、現像時と現像時の間、すなわちいわゆる紙間においては、Ｖｐ１−Ｖｏ≦±１００Ｖを満足し、かつデューティ比が８０％乃至９５％である現像バイアスが印加されることが重要である。図１（Ｃ）に示す実施形態において、感光体ドラム１０の未露光部位は、帯電装置２０によって正帯電電位Ｖｏ＝＋４００Ｖに一様に帯電される。現像バイアスにおける直流電圧Ｖｄｃ＝０Ｖ（ＯＦＦ）、現像バイアスにおける交流電圧のＶｐ１＝＋４５０Ｖ、Ｖｐ２＝−７５０Ｖ、Ｖｐｐ＝１２００Ｖ、デューティ比は９０％、周波数Ｖｆ＝２．５ｋＨｚである。
【００１７】
この実施形態によれば、紙間において、感光体ドラム１０の表面には、現像時と同じ＋４００Ｖの帯電電位（暗電位）Ｖｏが印加され、他方、現像バイアスは、Ｖｐ１＝＋４５０Ｖ、Ｖｐ２＝−７５０Ｖ、デューティ比が９０％の交流電圧が印加されるよう制御される。すなわち、現像バイアスＶｐ１＝＋４５０Ｖは、感光体ドラム１０の表面電位Ｖｏ＝＋４００Ｖに対し、＋５０Ｖ高いだけであり、現像時の＋６００Ｖに比べて著しく低いので、現像ローラ４１から正帯電トナーが感光体ドラム１０に飛翔することは防止される。また、現像バイアスＶｐ１＝＋４５０Ｖが、感光体ドラム１０の表面電位Ｖｏ＝＋４００Ｖに対し、＋５０Ｖ高く、しかも、１周期あたりのパルス幅、したがって時間が著しく長いこと、Ｖｐ２＝−７５０Ｖの、１周期あたりのパルス幅、したがって時間が著しく短いこと、などに起因して、先に述べた、逆極性（負極性）に帯電したトナーは、現像ローラ４１から感光体ドラム１０に飛翔する可能性が著しく低くなる。その結果、現像時と現像時との間、すなわちいわゆる紙間において、現像ローラ４１から感光体ドラム１０へのトナーの飛翔は確実に防止されるので、転写ローラ５１の汚れ、したがって用紙Ｐの裏面及びエッジの汚れを確実に防止することを可能にするのである。
【００１８】
本発明による反転現像の紙間における現像バイアス制御方法においては、Ｖｐ１−Ｖｏ≦±１００Ｖを満足することが重要である。これは、Ｖｐ１−Ｖｏが＋１００Ｖを越えると、プラス側の電位差が大きくなりすぎて現像ローラ４１の正帯電トナーが感光体ドラム１０に飛翔する量が多くなり、逆に、Ｖｐ１−Ｖｏが−１００Ｖを越えると、マイナス側の電位差が大きくなりすぎて現像ローラ４１の負帯電トナーが感光体ドラム１０に飛翔する量が多くなるからである。
【００１９】
本発明による反転現像の紙間における現像バイアス制御方法においてはまた、Ｖｐ１−Ｖｏ≦±１００Ｖを満足したとしても、現像バイアスの交流電圧におけるデューティ比が８０％乃至９５％を満足しなければ、所望する効果が得られない。デューティ比が８０％未満であると、マイナス側のピーク電圧であるＶｐ２のパルス幅、すなわち時間が長くなりすぎて現像ローラ４１の負帯電トナーが感光体ドラム１０に飛翔する量が多くなり、逆に、デューティ比が９５％を越えると、プラス側のピーク電圧であるＶｐ１のパルス幅、すなわち時間が長くなりすぎて現像ローラ４１の正帯電トナーが感光体ドラム１０に飛翔する量が多くなるからである。
【実施例】
【００２０】
本発明者らは、下記仕様のレーザプリンタを使用し、図３に示すように、Ｖｐ１−Ｖｏ及びデューティ比を種々変更して紙間における現像バイアスの制御を行い、用紙裏汚れ及び用紙エッジ汚れの評価を行った。なお、前記紙間とは、用紙に対応してそれぞれ画像信号により感光体ドラムの感光体表面を露光し、用紙に対応した該画像信号間に対応する感光体表面領域が現像位置に存在する間を意味するもので、現像時と現像時との間、と換言することができる。
【００２１】
感光体ドラム：
アルミニウム素管外径；３０ｍｍ
正帯電型有機感光層：初期厚み３２μｍ
明電位；＋４００Ｖ
暗電位；＋８０Ｖ
ドラム周速度；１１０ｍｍ／ｓ
現像ローラ：
外径；２０ｍｍ
スリーブ材質；アルミニウム
スリーブ表面粗さ；十点平均粗さＲｚ（ＪＩＳ  Ｂ０６０１−１９９４）
＝９．０±１．０μｍ
スリーブ内静止永久磁石；Ｓ１、Ｎ１、Ｓ２の３極構造
Ｓ２極；７２２ガウス
Ｎ１極；８７１ガウス
Ｓ１極；６８８ガウス
スリーブ内静止永久磁石の位置；
Ｓ２極；層圧規制ブレードを基準にスリーブの回転方向上流側に１１度 
Ｎ１極；Ｓ２極を基準にスリーブの回転方向下流側に１１６度
Ｓ１極；Ｎ１極を基準にスリーブの回転方向下流側に７３度
スリーブ周速度；１４８．５ｍｍ／ｓ
ドラム・スリーブ間の隙間；０．３２±０．０１ｍｍ
現像バイアス：
直流電圧（直流成分）Ｖｄｃ；＋２７５±５Ｖ
交流電圧（交流成分）Ｖｐｐ；１．８２±０．０５ｋＶ
プラス側ピーク電圧Ｖｐ１；＋１０００Ｖ
マイナス側ピーク電圧Ｖｐ２；−８２０Ｖ
周波数Ｖｆ＝２．６ｋＨｚ
層圧規制ブレード：
磁性板；ＳＵＳ４３０（厚さ；１．５ｍｍ）
磁石板；厚さ２．０ｍｍ
スリーブとの隙間；０．３０±０．０６５ｍｍ
現像剤：
正帯電型磁性トナー（Ｄ５０  ７．２μｍ、磁性粉含有量  ４１ｗｔ％）
【００２２】
比較例１及び２、実施例１〜３は、デューティ比を一定（９０％）にしてＶｐ１−Ｖｏを変化させたとき（−１２５Ｖ〜＋１２５Ｖ）の、用紙裏汚れと用紙エッジ汚れの有無を確認した結果である。更に具体的には、Ａ４サイズの用紙を１００枚連続して通紙（現像、転写及び定着）することによって、上記汚れの有無を確認したもので、各用紙には印字面積率５％の文字画像を形成した（このような実験形態は、後述する比較例３〜８及び実施例４〜９においても同じである）。
比較例３及び４、実施例４及び５は、Ｖｐ１−Ｖｏを一定（０Ｖ）にして、デューティ比を変化させたとき（７７％〜９８％）の、用紙裏汚れと用紙エッジ汚れの有無を確認した結果である。比較例５及び６、実施例６及び７は、Ｖｐ１−Ｖｏを一定（＋１００Ｖ）にして、デューティ比を変化させたとき（７７％〜９８％）の、用紙裏汚れと用紙エッジ汚れの有無を確認した結果である。
比較例７及び８、実施例８及び９は、Ｖｐ１−Ｖｏを一定（−１００Ｖ）にして、デューティ比を変化させたとき（７７％〜９８％）の、用紙裏汚れと用紙エッジ汚れの有無を確認した結果である。
上記実験結果によれば、Ｖｐ１−Ｖｏ≦±１００Ｖを満足し、かつデューティ比が８０％乃至９５％である交流電圧からなる現像バイアスを印加することにより、紙間における転写ローラへのトナーの付着が確実に防止され、用紙裏汚れ及び用紙エッジ汚れが防止される、ことが確認された。
【００２３】
上記実施形態を参照して説明したように、本発明は、像担持体（感光体ドラム１０）と現像剤担持体（現像ローラ４１）との間に現像バイアスを印加することにより、現像剤担持体表面の正帯電トナーを、正帯電させた像担持体の表面に飛翔現像させる反転現像の紙間における現像バイアス制御方法に関するものであるが、像担持体と現像剤担持体との間に現像バイアスを印加することにより、現像剤担持体表面の負帯電トナーを負帯電させた像担持体の表面に飛翔現像させる反転現像の紙間における現像バイアス制御方法としても適用可能である。
【図面の簡単な説明】
【００２４】
【図１】は、反転現像の現像バイアスの交流波形などを、現像時、紙間（従来例）及び紙間（本発明）に分けて並列的にかつ模式的に図示したもので、図１（Ａ）は、現像時における反転現像の現像バイアスの交流電圧の波形の実施形態の一部及び直流電圧と感光体ドラムの暗電位のレベルを示す図である。図１（Ｂ）は、現像時と現像時との間、すなわち紙間における従来の反転現像の現像バイアスの制御形態である現像バイアスＯＦＦの状態を示す図である。図１（Ｃ）は、本発明により制御される反転現像の紙間における現像バイアスの制御方法により制御される現像バイアスの交流波形の実施形態の一部を示す図。
【図２】従来の反転現像の紙間における現像バイアス制御方法が適用される画像形成機を示す基本構成図であって、本発明による反転現像の紙間における現像バイアス制御方法が適用され画像形成機でもある。
【図３】Ｖｐ１−Ｖｏ及びデューティ比を変化させて紙間における現像バイアスの制御を行い、用紙裏汚れ及び用紙エッジ汚れの状態を調べた実験結果を示す表である。
【符号の説明】
【００２５】
１０：感光体ドラム（像担持体）
１４：感光体
２０：帯電装置
３０：露光手段
４０：現像装置
４１：現像ローラ（現像剤担持体）
４３：現像バイアス印加手段
５０：転写手段
５１：転写ローラ
５２：転写バイアス印加手段
Ｖｏ：感光体ドラムの正帯電電位（暗電位）
Ｖｄｃ：現像バイアスの直流電圧
Ｖｐ１：現像バイアスの交流電圧（トナーを現像ローラから感光体ドラムに向わせるプラス側ピーク電圧）
Ｖｐ２：現像バイアスの交流電圧（トナーを感光体ドラムから現像ローラに引き戻すマイナス側ピーク電圧）
【図１】
2005215361.tif 000003
【図２】
2005215361.tif 000004
【図３】
2005215361.tif 000005